【手続補正書】
【提出日】平成17年2月14日(2005.2.14)
【手続補正１】
【補正対象書類名】明細書
【補正対象項目名】特許請求の範囲
【補正方法】変更
【補正の内容】
【特許請求の範囲】
【請求項１】  対向側部フランジおよび該側部フランジの一方に近接して配置された側部ピボットを有する制御ハウジングを含むベースアセンブリと、
直立およびリクライニング位置間を移動するように該ベースアセンブリに回動可能に取り付けられた背もたれと、
前記ベースアセンブリ上に作動可能に支持され、前記背もたれと調和した同期移動を行うように前記背もたれに連結された座部と、
前記背もたれを直立位置の方に押しつけるためのエネルギ機構とを備えており、該エネルギ機構は、前記制御ハウジング内に横方向に配置されて一端部が前記側部フランジの一方に支持された伸縮スプリングを含み、さらに、前記側部ピボットに回動可能に取り付けられたレバーを含み、該レバーは、前記スプリングの自由端部に係合するスプリング係合部分および座部に作動連結された座部付勢部分を有しており、
前記側部ピボット、前記スプリング係合部分および前記座部付勢部分は互いに間隔を置いて配置されて、前記スプリングがほぼ前記側部ピボットに位置する支点回りに前記レバーを押しつけることによって前記背もたれが直立位置の方に押しつけられるように構成されており、前記側部ピボットは、調節時に前記レバー上で支点の位置を変化させるように構成された調節式ピボット部材を含む椅子。
【請求項２】  前記ピボット部材および前記レバーは接合表面を含み、該接合表面の少なくとも一方が曲線形である請求項１記載の椅子。
【請求項３】  前記接合表面は、噛み合い歯を含む請求項２記載の椅子。
【請求項４】  前記レバーは、Ｌ字形ベルクランクを有しており、前記支点は該Ｌ字形ベルクランクの一方の脚部のほぼ中間部分に沿って位置している請求項３記載の椅子。
【請求項５】  前記レバーおよび前記ピボット部材は、垂直軸線回りに回動可能に取り付けられていると共に、共通の水平面上で移動可能であることによって、前記制御部ハウジング内にコンパクトに配置されている請求項１記載の椅子。
【請求項６】  前記スプリングは前記制御部ハウジングによって支持されて、前記背もたれのリクライニング中、前記スプリングの自由端部が前記支持端部の方に移動すると共に、同時に前後方向に沿って移動するようにして前記レバーに係合している請求項１記載の椅子。
【請求項７】  対向側部フランジおよび該側部フランジの一方に近接して配置された側部ピボットを有する制御ハウジングを含むベースアセンブリと、
直立およびリクライニング位置間を移動するように該ベースアセンブリに回動可能に取り付けられた背もたれと、
前記ベースアセンブリ上に作動可能に支持され、前記背もたれと調和した同期移動を行うように前記背もたれに連結された座部と、
前記背もたれを直立位置の方に押しつけるためのエネルギ機構とを備えており、該エネルギ機構は、前記制御ハウジング内に横方向に配置されて一端部が前記側部フランジの一方に支持された伸縮スプリングを含み、さらに、前記側部ピボットに回動可能に取り付けられたレバーを含み、該レバーは、前記スプリングの自由端部に係合するスプリング係合部分および座部に作動連結された座部付勢部分を有しており、
前記側部ピボット、前記スプリング係合部分および前記座部付勢部分は互いに間隔を置いて配置されて、前記スプリングがほぼ前記側部ピボットに位置する支点回りに前記レバーを押しつけることによって前記背もたれが直立位置の方に押しつけられるように構成されており、
前記スプリングは前記制御部ハウジングによって支持されて、前記背もたれのリクライニング中、前記スプリングの自由端部が前記支持端部の方に移動すると共に、同時に前後方向に沿って移動するようにして前記レバーに係合しており、
前記背もたれのリクライニング中、前記レバーは、前記スプリングを長手方向に圧縮すると共に、前記スプリングを非線形状に側方に曲げるようにした椅子。
【請求項８】  ピボット部材を含む制御部ハウジングと、直立およびリクライニング位置間を移動するように該制御部ハウジングに作動連結されたリクライニング式背もたれと、前記制御部ハウジング内に設けられて前記背もたれを直立位置の方に押しつけるエネルギ源とを有する椅子において、
前記ピボット部材は調節可能であり、
前記エネルギ源および前記ピボット部材に係合するレバーを備えており、該レバーは、前記背もたれを直立位置の方に押しつけるように前記背もたれに作動連結されており、前記レバーおよび前記ピボット部材は滑り止め接合表面を有し、その少なくとも一方が曲線形であることによって、前記背もたれのリクライニング中に前記レバーを回転させた時、接合表面が係合して移動支点を定め、さらに、前記ピボット部材を調節した時に支点の位置が変化して、前記エネルギ源が作動するモーメントの腕を変化させるようにした調節式背もたれ張力制御装置の改良。
【請求項９】  前記レバーは、中間位置で前記ピボット部材に回動可能に係合して支点を定める脚部を含むベルクランクを有する請求項８記載の椅子。
【請求項１０】  前記レバーは、ほぼ垂直の軸線回りに水平面上で回動することによって、前記制御ハウジング内にコンパクトに配置されるようにした請求項９記載の椅子。
【請求項１１】  リンクと、該リンクによって前記レバーに作動連結された座部係合ブラケットとを備えて、前記レバーが該座部係合ブラケットおよび座部を後方に押しつけるようにした請求項１０記載の椅子。
【請求項１２】  前記ピボット部材は、前記ピボット部材の接合表面から間隔を置いたピボット位置で前記制御部ハウジングに回動可能に取り付けられており、前記ピボット部材の前記接合表面は弓形であって、ピボット位置から一定半径をなす請求項９記載の椅子。
【請求項１３】  前記接合表面は、ラック／ピニオン状に噛み合う歯を有する請求項１２記載の椅子。
【請求項１４】  前記レバーの前記接合表面も曲線形状を有する請求項１３記載の椅子。
【請求項１５】  モーメントの腕の長さを変化させるために前記ピボット部材を角調節する調節機構を備えた請求項８記載の椅子。
【請求項１６】  前記調節機構は、前記ピボット部材を調節する時にユーザがオーバートルクを掛けることを防止するためのオーバートルク装置を含む請求項１５記載の椅子。
【請求項１７】  前記制御部ハウジング上に作動可能に配置されて、前記レバーおよび前記背もたれ間に相互連結された座部を備えた請求項８記載の椅子。
【請求項１８】  前記接合表面は、ラック／ピニオン状に噛み合う歯を有する請求項８記載の椅子。
【請求項１９】  ベースアセンブリと、
第１および第２位置間を移動するように該ベースアセンブリに回動可能に取り付けられたリクライニング式背もたれおよび可動式座部の一方を有する部材と、
一端部が前記ベースアセンブリに支持され、他端部が前記部材に作動連結されたスプリングとを備えており、該スプリングは長さを有し、前記部材が第１位置から第２位置に移動する時、長さに沿って長手方向に圧縮されると同時に長さに直交する方向において側方に曲がる椅子。
【請求項２０】  前記スプリングの他端部に接触した第１端部と前記部材にリンク結合された第２端部とを有するレバーを備えた請求項１９記載の椅子。
【請求項２１】  前記レバーは、前記ベースアセンブリに回動可能に取り付けられている請求項２０記載の椅子。
【請求項２２】  前記部材は、座部を含む請求項２１記載の椅子。
【請求項２３】  前記座部に作動連結されてそれと同時に移動する背もたれフレームを備えた請求項２２記載の椅子。
【請求項２４】  制御部ハウジングを含むベースアセンブリと、
該制御部ハウジング上に摺動可能に支持された座部と、
直立およびリクライニング位置間を移動するように前記ベースアセンブリに回動可能に連結されていると共に、前記座部に作動可能に取り付けられて、前記座部の摺動移動に同期して回動移動するようにした背もたれフレームと、
長さを有するスプリング、および該コイルスプリングの端部に係合した第１脚部および前記スプリングの長さにほぼ平行に延在する第２脚部を有するＬ字形トルク部材を含むエネルギ機構とを備えており、前記第１脚部は前記スプリングの端部から離れた位置で前記制御部ハウジングに回動可能に係合し、前記第２脚部は前記座部および前記背もたれフレームの一方に作動連結されて、前記スプリングが前記トルク部材を押しつけると、前記背もたれフレームが直立位置の方に押しつけられるようにした椅子。
【請求項２５】  前記第１脚部は、前記背もたれフレームが直立およびリクライニング位置間を移動する時、制御部ハウジング上の構造体に転がりおよび回動の両状態で係合する曲線表面を含む請求項２４記載の椅子。
【請求項２６】  前記制御部ハウジング上の前記構造体は、前記第１脚部の曲線表面に係合する接合表面を有するピボット部材を含み、該表面は噛み合い係合して望ましくない滑りを防止するように構成されている請求項２５記載の椅子。
【請求項２７】  制御部ハウジングを含むベースアセンブリと、
該制御部ハウジング上に摺動可能に支持された座部と、
直立およびリクライニング位置間を移動するように前記ベースアセンブリに回動可能に連結されていると共に、前記座部に作動可能に取り付けられて、前記座部の摺動移動に同期して回動移動するようにした背もたれフレームとを備えており、
前記制御部ハウジングは、前記座部の下側の比較的薄く水平方向に延在するコンパートメントを形成しており、さらに、
該コンパートメント内に作動可能に配置された調節式エネルギ機構を備えており、該調節式エネルギ機構は、伸縮エネルギ源と、該エネルギ源および前記座部間に作動連結されたレバーと、該レバーを調節可能に回動するように支持して、前記エネルギ源から前記レバーを介して前記座部に伝達される力を調節可能に制御する調節部材とを含み、前記エネルギ源、前記レバーおよび前記調節部材は、前記比較的薄く水平方向に延在するコンパートメント内で作動するように水平方向だけに移動可能である椅子。
【請求項２８】  前記調節部材は、前記レバーを移動させて前記レバーの支点を調節できるように前記制御部ハウジングに作動可能に取り付けられている請求項２７記載の椅子。
【請求項２９】  前記ベースアセンブリは、前記ハウジングを組み込んだベースフレームを含む請求項１記載の椅子。
【請求項３０】  前記ベースアセンブリは、前記ハウジングを組み込んだベースフレームを含む請求項１９記載の椅子。
【請求項３１】  前記ベースアセンブリは、前記ハウジングを組み込んだベースフレームを含む請求項２４記載の椅子。
【請求項３２】  前記ベースアセンブリは、前記ハウジングを組み込んだベースフレームを含む請求項２７記載の椅子。
【請求項３３】  制御部ハウジングを含むベースアセンブリと、
該制御部ハウジング内に配置されて圧縮力を与える単一の蓄積エネルギ源と、
直立およびリクライニング位置間を移動するように該単一のエネルギ源に作動可能に相互連結された背中支持部とを備えており、前記単一の蓄積エネルギ源は、該背中支持部を直立位置の方に押しつけるプレテンションを加えると共に、リクライニング時に前記背中支持部の傾動に対する抵抗を与え、さらに、
前記蓄積エネルギ源のプレテンションおよび前記背中支持部の傾動率を調整するコントローラを備えており、該コントローラは、単一蓄積エネルギ源の圧縮力に打ち勝たなくても調節することができる調節可能な支点を定めるレバーを含む椅子。
【請求項３４】  前記背中支持部に係合してそれを前記エネルギ源に相互連結する座部を含む請求項３３記載の椅子。
【請求項３５】  ベースアセンブリと、
該ベースアセンブリ上に支持された座部と、
直立およびリクライニング位置間を移動するように前記ベースアセンブリに回動可能に取り付けられた背もたれフレームと、
少なくとも１つの上部連結部で該背もたれフレームに、また該少なくとも１つの上部連結部から垂直方向に間隔を置いた下部連結部で椅子に連結された服従背もたれとを備えており、該下部連結部は前記座部の後部に近接して前記服従背もたれの底部の前方に配置されて、前記下部連結部が腰掛けているユーザの大腿骨頭および背骨下部に対応する領域にほぼ整合することができる軸線を定めており、前記服従背もたれはたわみ可能であって、腰掛けている成人ユーザの背中のたわみ時に前記服従背もたれが前記上部および下部連結部間で制御状態にたわむようにしており、
前記座部は、前記ベースアセンブリ上に摺動可能に支持された前部分と、前記背もたれフレームに回動可能に連結された後部分とを有して、前記背もたれフレームのリクライニング時に前記座部が前記背もたれフレームと同期して前方に移動するようにした椅子。
【請求項３６】  前記服従背もたれは、逆回転移動するように互いに作動連結された上下部分を含み、該上部分は前記上部連結部で前記背もたれフレームに回動可能に取り付けられ、前記下部分は、前記下部連結部で前記背もたれフレームに回動可能に取り付けられた前方延出フランジを含み、前記下部連結部から前記下部分の下側前表面までの後方距離が、平均的な腰掛けている成人ユーザの股関節から平均的な腰掛けている成人ユーザの背骨の後／下部までを計算した所定距離とほぼ同一であって、腰掛けている成人ユーザの背中の下部のたわみ時に前記服従背もたれがたわみ、同時に快適な姿勢支持を行うことができるようにした請求項３５記載の椅子。
【請求項３７】  前記服従背もたれは、腰掛けているユーザのほぼ腰部領域に位置するたわみゾーンによって連結された上下の剛直部分を有する背もたれシェルを含む請求項３５記載の椅子。
【請求項３８】  前記たわみゾーンには、前記服従背もたれをほぼ横切るが、腰部領域の両側縁部に連続した材料バンドを残す位置で終了した複数の水平方向スリットが設けられている請求項３７記載の椅子。
【請求項３９】  前記背もたれシェルに作動可能に取り付けられたねじり腰部支持機構を備えており、該ねじり腰部支持機構は、前記シェルを前向き突出凸状形に押しつけて最適腰部支持が得られるようにする請求項３８記載の椅子。
【請求項４０】  腰掛けているユーザの腰部領域の前記服従背もたれの前表面の形状を変化させるために、垂直方向に調節されるように前記服従背もたれに取り付けられた垂直方向調節式腰部支持部材を備えた請求項３９記載の椅子。
【請求項４１】  前記垂直方向調節式腰部支持部材には、前記服従背もたれの周縁部に係合してそれと一致するように構成されていると共に、前記垂直方向調節式腰部支持部材に摺動可能に係合して前記周縁部に沿って内外に調節されるように構成された側方延出ハンドルが含まれる請求項４０記載の椅子。
【請求項４２】  前記下部連結部の１つに取り付けられて、前記服従背もたれを前向き突出凸状形に押しつけるねじり腰部支持機構を備えた請求項３５記載の椅子。
【請求項４３】  前記服従背もたれの前表面に作動可能に取り付けられた垂直方向調節式腰部支持部材を含み、該垂直方向調節式腰部支持部材は、腰掛けているユーザの腰部領域の前記服従背もたれの前表面での支持力を変化させるように構成されている請求項３５記載の椅子。
【請求項４４】  前記垂直方向調節式腰部支持部材にほぼ水平方向に摺動可能に係合した少なくとも１つのハンドルを備えており、該ハンドルは、前記服従背もたれの周縁部に沿って移動して前記垂直方向調節式腰部支持部材を垂直方向に調節するように構成されている請求項４３記載の椅子。
【請求項４５】  前記上部連結部は上部ピボット連結部を含む請求項３５記載の椅子。
【請求項４６】  前記上部ピボット連結部は、前記背もたれフレーム上の突出Ｔ字形コネクタと、前記服従背もたれ内の対応のリセスとを含み、該リセスは、前記Ｔ字形突出コネクタを受け取ってそれに摩擦係合することによって、前記服従背もたれを前記背もたれフレームに取り付けるように構成されている請求項４５記載の椅子。
【請求項４７】  前記服従背もたれは、前記服従背もたれの底縁部に沿って取り付けられたベルトブラケットを含み、該ベルトブラケットは、前記下部コネクタの一部を形成するフランジを含む請求項３５記載の椅子。
【請求項４８】  前記下部コネクタの１つに取り付けられた調節式ねじり腰部支持部材を備えた請求項４７記載の椅子。
【請求項４９】  前記背もたれフレームは、逆曲線アーチを描いている請求項３５記載の椅子。
【請求項５０】  前記背もたれフレームは、内部金属補強材と、該内部金属補強材の中間部分の全側部を覆う外部高分子カバーとを含む請求項３５記載の椅子。
【請求項５１】  前記背もたれフレームは、前記座部の前記後部分の両側に位置する特殊形状端部を含み、該特殊形状端部は、前記背もたれフレームに回動可能に連結される第１ピボットと、前記座部に回動可能に連結される第２ピボットとを定めている請求項３５記載の椅子。
【請求項５２】  ベースアセンブリと、
直立およびリクライニング作動位置間を移動するように前記ベースアセンブリに回動可能に取り付けられた背もたれフレームと、
上部連結部で該背もたれフレームに作動可能に取り付けられ、また下部連結部で椅子に作動可能に取り付けられた服従背もたれとを備えており、該服従背もたれは、ほぼその下縁部に沿って配置されて前記下部連結部に回転軸線を形成する前方延出フランジを含み、該軸線は前記座部の後部分に近接して前記服従背もたれの前方に配置されており、前記服従背もたれは、胸部分、骨盤部分および可撓性の腰部分を含み、腰掛けているユーザが背中下部を後方にたわませた時、前記服従背もたれの骨盤部分が前記軸線回りに後下方に回動移動し、前記服従背もたれの腰部分がほぼ後方にたわみ移動して骨盤部分に対してさらに平坦な形状になり、前記背もたれの胸部分が前記上部連結部回りに回動することによって、前記服従背もたれは、前記背もたれフレームおよび前記ベースアセンブリと協働して、腰掛けているユーザの胴部および背骨のたわみおよび移動である腰掛けているユーザの背中の姿勢の支持を行うことができるようにした椅子。
【請求項５３】  前記服従背もたれを前向き突出凸状形にねじって押しつけることによって腰掛けているユーザに最適の腰部支持を与える調節式ねじり腰部支持スプリング機構を備えた請求項５２記載の椅子。
【請求項５４】  前記服従背もたれは、弾性腰部領域を有する成形シェルを含む請求項５３記載の椅子。
【請求項５５】  前記成形シェルの下縁部に取り付けられたベルトブラケットを備えた請求項５４記載の椅子。
【請求項５６】  前記服従背もたれの前部に作動可能に取り付けられた垂直方向調節式腰部支持部材を含む請求項５５記載の椅子。
【請求項５７】  前記上部連結部は、前記ベースフレーム上の突出部と、前記服従背もたれの対応リセスとを含み、該リセスは、前記突出部を受け取ってそれに摩擦係合するように構成されている請求項５２記載の椅子。
【請求項５８】  腰掛けているユーザの腰部領域で前記服従背もたれに取り付けられて、腰部領域で前記服従背もたれの前表面の形状を変化させる垂直方向調節式腰部支持部材を含む請求項５２記載の椅子。
【請求項５９】  前記垂直方向調節式腰部支持部材に作動可能に係合して、前記垂直方向調節式腰部支持部材の垂直方向調節時に前記服従背もたれの周縁部に沿って移動するように構成されたハンドルを備えた請求項５８記載の椅子。
【請求項６０】  前記背もたれフレームは、前記服従背もたれの両側に特殊形状端部を有しており、該特殊形状端部は背もたれ傾動軸線、座部傾動軸線、および該背もたれ傾動軸線および該座部傾動軸線の後方に位置する背もたれシェル底部傾動軸線とを定め、該背もたれシェル底部傾動軸線はほぼ調節式ねじり腰部支持スプリング機構に位置している請求項５２記載の椅子。
【請求項６１】  前記服従背もたれは、カバーシートを含み、その少なくとも１つの伸縮部分が伸縮材料であって、前記服従背もたれのたわみ時に前記カバーシートを前記服従背もたれ上に緊張状態に維持することができる請求項５２記載の椅子。
【請求項６２】  前記伸縮部分は、前記カバーシートの下縁部に縫いつけられたストリップ状の伸縮織物を含む請求項６１記載の椅子。
【請求項６３】  前記服従背もたれは、背もたれシェルを含むと共に、前記ストリップ状伸縮織物に取り付けられた延出部分を含み、該延出部分は前記背もたれシェルの下縁部に固定されている請求項６２記載の椅子。
【請求項６４】  前記延出部分は、前記ストリップ状伸縮織物の縁部を受け取るノッチを含み、該ノッチに沿って前記ストリップ状伸縮織物に縫いつけられている請求項６３記載の椅子。
【請求項６５】  ベースと、座部と、該ベースに回転可能に取り付けられた背もたれフレームと、該背もたれフレームを直立位置の方に押しつける第１エネルギ機構とを有する椅子において、
たわみ可能に曲がって腰掛けているユーザの背中になじんで支持することができる様々な曲線形をとる服従背もたれと、該服従背もたれを第１連結部で前記背もたれフレームに回動可能に連結する前方延出フランジを有するベルトブラケットとを備えており、前記服従背もたれが、前記第１連結部から垂直方向に間隔を置いた第２位置で前記服従背もたれを前記背もたれフレームに回動可能に連結する第２連結部を有することによって、前記服従背もたれは前記第１および第２連結部によって制限された範囲内で移動するように拘束されており、さらに、
ほぼ前記第１および第２連結部の一方に位置して、前記ブラケットを押しつけるように、また前記服従背もたれの腰部を椅子に対して前方に押しつけるように構成された力発生機構を含む第２エネルギ機構を含む改良。
【請求項６６】  前記ベルトブラケットは、前記第１連結部をほぼ前記座部の後部の、腰掛けている一般的な成人ユーザの骨盤にほぼ整合することができる位置に配置する側部フランジを含み、腰掛けている成人ユーザが背中を後方にたわませた時、前記背もたれの骨盤部分が後下方に移動し、前記背もたれの腰部分がほぼ後方にたわみ移動して骨盤部分に対してさらに平坦な形状になり、前記背もたれの胸部分が前記第２連結部回りに回動し、骨盤部分および胸部分は腰部分によってたわみ可能に相互連結されて、腰掛けている成人ユーザの背中の移動に非常になじむようにして移動することができる請求項６５記載の椅子。
【請求項６７】  ベースアセンブリと、
座部と、
直立およびリクライニング位置間を移動するように該ベースフレームに回動可能に取り付けられた背もたれフレームと、
固定の上部連結部で該背もたれフレームに回動可能に取り付けられ、下部連結部で前記背もたれフレーム、前記座部および前記ベースアセンブリの１つに回動可能に取り付けられた前方延出フランジを含む服従背もたれとを備えており、前記下部連結部は該服従背もたれの下側前中央表面から側方に間隔を置いた位置にあることによって、腰掛けている成人ユーザの背骨および背中の下部のたわみ時に、前記服従背もたれは腰掛けている成人ユーザの背中および背骨のたわみになじんでたわんでそれに追従することができる椅子構造。
【請求項６８】  前記下部連結部は、前記服従背もたれの前記フランジを前記背もたれフレームに連結する請求項６７記載の椅子構造。
【請求項６９】  前記服従背もたれは、たわみ領域によって相互連結された比較的剛直な上下部分を含む請求項６８記載の椅子構造。
【請求項７０】  ベースアセンブリと、
座部と、
中間上部分、前記ベースアセンブリに回動可能に取り付けられた１対の特殊形状端部分、前記上部分から突出したＴ字形上部コネクタ、および前記特殊形状端部分内の１対の下部コネクタを有する逆Ｕ字形背もたれフレームと、
上部コネクタを受け取ってそれに摩擦係合するように構成された上部リセスを含み、さらに、前記下部コネクタに連結できるようにする距離だけ前方に延出した対向フランジを備えて下縁部に沿って設けられたベルトブラケットを含む服従背もたれと、
前記座部の後方付近の位置で前記対向フランジを前記下部コネクタに回動可能に連結する連結機構とを備えた椅子。
【請求項７１】  前記服従背もたれは、たわみ腰部領域を含み、前記フランジが前方に延出する距離は２〜３インチであって、該距離は腰掛けている成人ユーザの股関節から平均的な腰掛けている成人ユーザの背骨の下部までの距離とほぼ同一であるように計算されているため、前記服従背もたれは、たわむ時になじんでたわみ、腰掛けている成人ユーザの背骨に連続的で快適な支持を与えることができる請求項７０記載の椅子。
【請求項７２】  背もたれフレームと、
特徴的に非常にたわみ可能で曲がることができる前方突出腰部支持領域を有することによって、複数の様々な凸状形にたわむことができる非常に服従的な背もたれと、
該服従背もたれを前記背もたれフレームに回動可能に連結する上部および下部連結部と、
前記服従背もたれおよび前記背もたれフレームの少なくとも一方に作動可能に取り付けられた調節式力発生機構とを備えており、該力発生機構は、前記腰部支持領域を調節可能に前方に押しつける調節可能な付勢力を与えることによって腰掛けている成人ユーザの背中の最適腰部支持を行うように構成されているが、前記力発生機構は、前記服従背もたれの形状変化を強制することなく付勢力を与えることを特徴とする椅子用の背もたれ構造。
【請求項７３】  背もたれフレームと、
それぞれが腰掛けている成人ユーザの背中の姿勢を快適に支持することができる複数の様々な凸状形にたわみ移動可能である前方突出腰部支持領域を有する非常に服従的な背もたれと、
該服従背もたれを前記背もたれフレームに回動可能に連結する上部および下部連結部と、
前記服従背もたれおよび前記背もたれフレームの一方または両方に作動可能に取り付けられて、前記腰部領域を前方に押しつけることによって腰掛けているユーザの背中の最適腰部支持を行う調節式ねじり力発生機構とを備えており、該ねじり力発生機構は、前記下部連結部で前記背もたれフレームおよび前記服従背もたれに作動可能に取り付けられている椅子用の背もたれ構造。
【請求項７４】  前記服従背もたれは、比較的剛直な胸部支持領域と、比較的剛直な骨盤支持領域とを含み、これらは前記腰部支持領域によって相互連結されている請求項７３記載の背もたれ構造。
【請求項７５】  前記腰部支持領域は、可撓性材料シートを備えている請求項７４記載の背もたれ構造。
【請求項７６】  前記ねじり力発生機構は、スプリングおよびハンドルを含み、該ハンドルを回転させて巻き上げるか、巻き戻すことによって前記スプリングの張力を調節することができ、前記スプリングは前記服従背もたれおよび前記背もたれフレーム間に作動連結されて、前記服従背もたれの前記腰部支持領域を前向き凸状形に押しつけるようにした請求項７３記載の背もたれ構造。
【請求項７７】  前記ねじり力発生機構は、前記スプリングの張力を調節する時に機械的利益を与えるレバーを含む請求項７６記載の背もたれ構造。
【請求項７８】  エネルギ源を内部に有する制御部ハウジングを含むベースアセンブリと、
該ベースアセンブリ上の座部と、
直立位置およびリクライニング位置間を移動するように該エネルギ源に作動可能に相互連結された背もたれ支持部とを備えており、該背もたれ支持部は、背もたれフレームおよび背もたれシェルを含み、該背もたれシェルは、腰掛けている成人ユーザの背中を支持することができる形状を有してそれに適応される弾性たわみ高分子シートを有し、ほぼ椅子の骨盤領域に配置された半剛性の下部領域と、該下部領域の上方でほぼ椅子の腰部領域に配置された可撓性の中央領域と、該中央領域の上方で椅子の胸部領域に配置された半剛性の上部領域とを含み、
前記背もたれフレームは、前記背もたれシェルの前記上部領域を前記背もたれフレームに結合する第１取り付け部と、前記背もたれシェルの前記下部領域を前記背もたれフレームに回動可能に結合する複数の第２ピボット取り付け部とを有し、該第２取り付け部は前記下部領域の移動を拘束して、たわみを前記腰部領域で制御状態でなじむように発生させることによって、腰掛けている時に腰掛けている成人ユーザの背骨がたわむ時、前記腰部領域で腰掛けている成人ユーザの背骨の連続的で快適な支持を確実に行うことができるように前記背もたれ支持部を適応させることができ、前記背もたれシェルの前記中央領域は、垂直方向に間隔を置いて前記背もたれ支持部の前記中央領域の一部分をほぼ水平方向に横切るように延在した前記シートの複数のスロットを含み、該スロットが前記シートの周縁部の手前で終了することによって、前記スロットは前記中央領域に複数の細長い水平方向の弾性ストラップを形成しており、前記椅子に腰掛けている時の成人ユーザを弾性的に支持できるように該ストラップの各々の寸法を定めて適応させており、
前記背もたれシェルの前記下部領域は、前記背もたれフレームの前記第２取り付け部に回動可能に結合された前方延出フランジを有する補強部を含み、該補強部および前記ピボット取り付け部は、腰掛けているユーザの骨盤領域の少なくとも一部分を移動可能に堅固に支持するよう適応された椅子。
【請求項７９】  前記背もたれフレームは、前記背もたれ支持部が直立およびリクライニング位置間を移動できるように前記背もたれフレームを前記ベースアセンブリに回動可能に取り付ける第１ピボットを含み、該第１ピボットの軸線は前記座部の後方に配置されるため、該軸線は腰掛けている成人ユーザの股関節にほぼ配置されるように適応される、請求項７８記載の椅子。
【請求項８０】  エネルギ源を内部に有する制御部ハウジングを含むベースアセンブリと、
該ベースアセンブリ上の座部と、
直立位置およびリクライニング位置間を移動するように該エネルギ源に作動可能に相互連結された背もたれ支持部とを備えており、該背もたれ支持部は、背もたれフレームおよび背もたれシェルを含み、該背もたれシェルは、腰掛けている成人ユーザの背中を支持することができる形状を有してそれに適用される弾性たわみ高分子シートを有し、ほぼ椅子の骨盤領域に配置された半剛性の下部領域と、該下部領域の上方でほぼ椅子の腰部領域に配置された可撓性の中央領域と、該中央領域の上方で椅子の胸部領域に配置された半剛性の上部領域とを含み、
前記背もたれフレームは、前記背もたれシェルの前記上部領域を前記背もたれフレームに結合する第１取り付け部と、前記背もたれシェルの前記下部領域を前記背もたれフレームに回動可能に結合する複数の第２ピボット取り付け部とを有し、該第２取り付け部は前記下部領域の移動を拘束して、たわみを前記腰部領域で制御状態でなじむように発生させることによって、腰掛けている時に腰掛けている成人ユーザの背骨がたわむ時、前記腰部領域で腰掛けている成人ユーザの背骨の連続的で快適な支持を確実に行うことができるように前記背もたれ支持部を適応させることができ、前記背もたれシェルの前記下部領域を前記背もたれフレームに回動可能に結合する前記第２ピボット取り付け部は、前記背もたれシェルの前記中央領域を前方に押しつける付勢装置を含む椅子。
【請求項８１】  前記背もたれシェルの前記下部領域は、前記背もたれフレームの前記第２取り付け部に回動可能に結合された前方延出フランジを含み、前記付勢装置は、前記前方延出フランジに作動可能に相互連結されたトーションスプリングを含む請求項８０記載の椅子。
【請求項８２】  前記付勢装置は、前記トーションスプリングのプレテンションを調節する手段を含む請求項８１記載の椅子。
【請求項８３】  エネルギ源を内部に有する制御部ハウジングを含むベースアセンブリと、
該ベースアセンブリ上の座部と、
直立位置およびリクライニング位置間を移動するように該エネルギ源に作動可能に相互連結された背もたれ支持部とを備えており、該背もたれ支持部は、背もたれフレームおよび背もたれシェルを含み、該背もたれシェルは、腰掛けている成人ユーザの背中を支持することができる形状を有してそれに適応される弾性たわみ高分子シートを有し、ほぼ椅子の骨盤領域に配置された半剛性の下部領域と、該下部領域の上方でほぼ椅子の腰部領域に配置された可撓性の中央領域と、該中央領域の上方で椅子の胸部領域に配置された半剛性の上部領域とを含み、
前記背もたれフレームは、前記背もたれシェルの前記上部領域を前記背もたれフレームに結合する第１取り付け部と、前記背もたれシェルの前記下部領域を前記背もたれフレームに回動可能に結合する複数の第２ピボット取り付け部とを有し、該第２取り付け部は前記下部領域の移動を拘束して、たわみを前記腰部領域で制御状態でなじむように発生させることによって、腰掛けている時に腰掛けている成人ユーザの背骨がたわむ時、前記腰部領域で腰掛けている成人ユーザの背骨の連続的で快適な支持を確実に行うことができるように前記背もたれ支持部を適応させることができ、前記背もたれシェルの前記下部領域は、前記背もたれフレームの前記第２ピボット取り付け部に回転軸線を形成する前方延出フランジを含み、該回転軸線は前記座部の後またはその後方に配置して、前記軸線が腰掛けている成人ユーザの骨盤にほぼ近接した位置をとることができるようにして、腰掛けている成人ユーザが背中下部を後方にたわませた時、前記背もたれシェルの下部分が後下方に移動し、前記背もたれシェルの中央部分がほぼ後方にたわんで下部分に対してさらに平坦な形状になるようにした椅子。
【請求項８４】  エネルギ源を内部に有する制御部ハウジングを含むベースアセンブリと、
該ベースアセンブリ上の座部と、
直立位置およびリクライニング位置間を移動するように該エネルギ源に作動可能に相互連結された背もたれ支持部とを備えており、該背もたれ支持部は、背もたれフレームおよび背もたれシェルを含み、該背もたれシェルは、腰掛けている成人ユーザの背中を支持することができる形状を有してそれに適応される弾性たわみ高分子シートを有し、ほぼ椅子の骨盤領域に配置された半剛性の下部領域と、該下部領域の上方でほぼ椅子の腰部領域に配置された可撓性の中央領域と、該中央領域の上方でほぼ椅子の胸部領域に配置された半剛性の上部領域とを含み、
前記背もたれフレームは、前記背もたれシェルの前記上部領域を前記背もたれフレームに結合する第１取り付け部と、前記背もたれシェルの前記下部領域を前記背もたれフレームに回動可能に結合する複数の第２ピボット取り付け部とを有し、該第２取り付け部は前記下部領域の移動を拘束して、たわみを前記腰部領域で制御状態でなじむように発生させることによって、腰掛けている時に腰掛けている成人ユーザの背骨がたわむ時、前記腰部領域で腰掛けている成人ユーザの背骨の連続的で快適な支持を確実に行うことができるように前記背もたれ支持部を適応させることができ、前記背もたれフレームは曲線アーチを形成している椅子。
【請求項８５】  前記背もたれフレームは、弾性高分子カバー内に収容された内部金属製補強材を有する請求項７８記載の椅子。
【請求項８６】  前記ベースアセンブリに作動可能に取り付けられた座部を備えており、該座部は、前記背もたれ支持部を前記エネルギ源に相互連結するリンクを形成している請求項７８記載の椅子。
【請求項８７】  エネルギ源を内部に有する制御部ハウジングを含むベースアセンブリと、
背もたれアセンブリ上に移動可能に支持されて、前記エネルギ源に作動可能に相互連結された背もたれ支持部を含む背もたれアセンブリとを備えており、該背もたれ支持部は、背もたれフレームと、少なくとも１つの連結部によって該背もたれフレームに連結された背もたれシェルとを含み、該背もたれシェルは、腰掛けている成人ユーザの背中を支持することができる弾性たわみ高分子シートを有し、該シートは、ほぼ椅子の骨盤領域に配置された下部領域と、該下部領域の上方でほぼ椅子の腰部領域に配置された中央領域と、該中央領域の上方でほぼ椅子の胸部領域に配置された上部領域とを含み、さらに、前記背もたれシェルの前面上のクッションと、前記背もたれシェルの前方に位置する垂直方向調節式腰部支持部材とを含み、該腰部支持部材は、前記背もたれ支持部上に移動可能に支持されて、腰部領域で前記背もたれの前表面の形状を変化させるように垂直方向に調節可能に構成されており、前記垂直方向調節式腰部支持部材には、前記背もたれシェルの特殊形状の非平行対向周縁部に係合して追従するように構成されていると共に、前記前記垂直方向調節式腰部支持部材に摺動可能に係合して前記周縁部に沿って側方に内外に調節されるように構成された側方延出ハンドルが含まれる椅子。
【請求項８８】  上縁部を備えた対向フランジを有する制御部ハウジングと、該制御部ハウジングの前記上縁部に取り付けられた潤滑性キャップとを含み、該潤滑性キャップがスライド部材に摺動可能に係合したトラックを形成する上表面を有するベースアセンブリと、
直立およびリクライニング位置間を移動するように背もたれピボットで前記ベースアセンブリに回動可能に取り付けられた背もたれフレームと、
前記ベースアセンブリおよび前記背もたれフレーム上に作動可能に支持されており、ほぼ水平方向に摺動するように前記制御部ハウジングに摺動可能に係合したスライド部材を含むと共に、前座部ピボットで該スライド部材に回動可能に取り付けられ、後座部ピボットで前記背もたれフレームに回動可能に取り付けられた座部キャリアを含む座部支持構造体とを備えた椅子。
【請求項８９】  前記座部支持構造体に取り付けられた座部シェルを備えており、該座部シェルは、腰掛けている一般的な成人ユーザの大腿部を快適に支持するように構成された後部分と、腰掛けている成人ユーザの臀部を支持すると共に、腰掛けている成人ユーザの体重の大部分を快適に支持する前部分と、前記後部分および前記前部分を連結するたわみゾーンとを含む請求項８８記載の椅子。
【請求項９０】  前記座部支持構造体と前記前部分との間に延在するガススプリングを備えており、該ガススプリングは解除可能な戻り止め形式の装置である請求項８９記載の椅子。
【請求項９１】  前記座部支持構造体および前記前部分に回動可能に取り付けられて、前記ガススプリングに作動連結された曲がりロッド軸を備えた請求項９０記載の椅子。
【請求項９２】  前記前部分を前記座部支持構造体上に作動可能に支持するリーフスプリングを備えた請求項９１記載の椅子。
【請求項９３】  前記制御部ハウジング内に配置されたスプリング機構を備えており、該スプリング機構は前記スライド部材に作動連結されている請求項８８記載の椅子。
【請求項９４】  前記スプリング機構は、前記制御部ハウジング内に横方向に配置されたスプリングを含み、さらに、前記制御部ハウジングに作動可能に回動連結されたレバーを含み、該レバーは一端部で前記スプリングに作動可能に係合し、他端部で前記座部支持構造体に作動可能に係合している請求項９３記載の椅子。
【請求項９５】  制御部ハウジングを含むベースアセンブリと、
直立およびリクライニング位置間を移動するように背もたれピボットで前記ベースアセンブリに回動可能に取り付けられた背もたれフレームと、
前記ベースアセンブリおよび前記背もたれフレーム上に作動可能に支持されており、ほぼ水平方向に摺動するように前記制御部ハウジングに摺動可能に係合したスライド部材を含むと共に、前座部ピボットで該スライド部材に回動可能に取り付けられ、後座部ピボットで前記背もたれフレームに回動可能に取り付けられた座部キャリアを含む座部支持構造体と、
前記制御部ハウジング内に配置されたスプリング機構とを備えており、該スプリング機構は、前記スライド部材に作動連結されており、前記制御部ハウジング内に横方向に配置されたスプリングを含み、さらに、前記制御部ハウジングに作動可能に回動連結されたレバーを含み、該レバーは一端部で前記スプリングに作動可能に係合し、他端部で前記座部支持構造体に作動可能に係合しており、さらに、
ピボット部材を備えており、該ピボット部材および前記レバーは接合表面を有し、その少なくとも一方が曲線形であることによってラック／ピニオン式に作動し、前記ピボット部材を調節して前記レバーの支点を変化させることによって、前記スプリングが作動するモーメントの腕の長さを変化させることができる椅子。
【請求項９６】  前記制御部ハウジング内に配置された背もたれ停止部を備えており、該背もたれ停止部は、前記座部支持構造体に係合して前記背もたれフレームのリクライニングを制限できるように構成されている請求項９５記載の椅子。
【請求項９７】  前記背もたれ停止部は、垂直軸線回りに回転するように前記制御部ハウジングに回動可能に取り付けられたカムを含み、該カムは、前記座部支持構造体に係合するように選択的に配置することができる複数のステップを含む請求項９６記載の椅子。
【請求項９８】  制御部ハウジングを含むベースアセンブリと、
直立およびリクライニング位置間を移動するように背もたれピボットで前記ベースアセンブリに回動可能に取り付けられた背もたれフレームと、
前記ベースアセンブリおよび前記背もたれフレーム上に作動可能に支持されており、ほぼ水平方向に摺動するように前記制御部ハウジングに摺動可能に係合したスライド部材を含むと共に、前座部ピボットで該スライド部材に回動可能に取り付けられ、後座部ピボットで前記背もたれフレームに回動可能に取り付けられた座部キャリアを含む座部支持構造体と、
選択的に深さ調節可能に該座部支持構造体上に摺動可能支持された座部シェルとを備えており、これによって前記座部シェルの深さを前記背もたれフレームに対して選択的に調節することができる椅子。
【請求項９９】  トラックを形成する側壁を有する制御部ハウジングを含むベースアセンブリと、
該トラックに摺動可能に係合した軸受けを有する前部分を有すると共に後部分を有しており、たわみ可能に支持された前部分を有する座部シェルを含む座部と、
直立位置およびリクライニング位置間を移動するように、前記ベースアセンブリに回動可能に取り付けられ、また別に前記座部に回動可能に取り付けられた背もたれとを備えて、前記座部の前記後部分は該背もたれに回動可能に取り付けられて、前記背もたれがリクライニングするのに同期して、前記座部が前方に移動し、前記座部後部分が前下方に移動するようにしており、さらに、
前記中央ハウジング内に配置されて、前記座部に作動連結されて前記座部を後方に押しつけるスプリング機構を備えており、該スプリング機構は、前記制御部ハウジング内に配置された伸縮スプリングと、前記制御部ハウジングに回動可能に連結されて、前記背もたれを直立位置に押しつけるために前記スプリングから前記座部にエネルギを伝達するモーメントの腕を前記スプリングとの間に定めるレバーとを含み、さらに、
前記シェルの前記前部分と前記座部の、腰掛けている一般的な成人ユーザの体重を支持することができるその他の部分との間に作動連結されて、前記前部分の位置を前記座部の前記その他の部分に対して調節するように作動するガススプリングを備えた椅子。
【請求項１００】  前記ガススプリングは、戻り止め式であると共に解除可能である請求項９９記載の椅子。
【請求項１０１】  前記座部に連結された制御部を備えていると共に、前記ガススプリングに作動連結されて該ガススプリングを解除して調節できるようにするリンクを備えた請求項１００記載の椅子。
【請求項１０２】  トラックを形成する側壁を有する制御部ハウジングを含むベースアセンブリと、
該トラックに摺動可能に係合した軸受けを有する前部分を有すると共に後部分を有しており、たわみ可能に支持された前部分を有する座部シェルを含む座部と、
直立位置およびリクライニング位置間を移動するように、前記ベースアセンブリに回動可能に取り付けられ、また別に前記座部に回動可能に取り付けられた背もたれとを備えて、前記座部の前記後部分は該背もたれに回動可能に取り付けられて、前記背もたれがリクライニングするのに同期して、前記座部が前方に移動し、前記座部後部分が前下方に移動するようにしており、さらに、
前記中央ハウジング内に配置されて、前記座部に作動連結されて前記座部を後方に押しつけるスプリング機構を備えており、該スプリング機構は、前記制御部ハウジング内に配置された伸縮スプリングと、前記制御部ハウジングに回動可能に連結されて、前記背もたれを直立位置に押しつけるために前記スプリングから前記座部にエネルギを伝達するモーメントの腕を前記スプリングとの間に定めるレバーとを含み、さらに、
前記前部分と前記座部のその他の部分との間に配置されてそれらを弾性的に支持するリーフスプリングを備えた椅子。
【請求項１０３】  トラックを形成する側壁を有する制御部ハウジングを含むベースアセンブリと、
該トラックに摺動可能に係合した軸受けを有する前部分を有すると共に後部分を有しており、座部シェルと、背もたれに対する該座部シェルの深さを調節する深さ調節構造部とを含む座部と、
直立位置およびリクライニング位置間を移動するように、前記ベースアセンブリに回動可能に取り付けられ、また別に前記座部に回動可能に取り付けられた背もたれとを備えて、前記座部の前記後部分は該背もたれに回動可能に取り付けられて、前記背もたれがリクライニングするのに同期して、前記座部が前方に移動し、前記座部後部分が前下方に移動するようにしており、さらに、
前記中央ハウジング内に配置されて、前記座部に作動連結されて前記座部を後方に押しつけるスプリング機構を備えており、該スプリング機構は、前記制御部ハウジング内に配置された伸縮スプリングと、前記制御部ハウジングに回動可能に連結されて、前記背もたれを直立位置に押しつけるために前記スプリングから前記座部にエネルギを伝達するモーメントの腕を前記スプリングとの間に定めるレバーとを含む椅子。
【請求項１０４】  前記座部は、前記座部シェルを支持する座部キャリアと、前記シェルを該座部キャリアに摺動可能に係合させる線形軸受けとを含む請求項１０３記載の椅子。
【請求項１０５】  前記座部キャリアおよび前記シェル間に作動可能に延在して前記シェルを選択深さ位置に保持するラッチを備えた請求項１０４記載の椅子。
【請求項１０６】  前記座部に連結されて前記ラッチを作動させる制御部を含む請求項１０５記載の椅子。
【請求項１０７】  制御部ハウジングを含むベースアセンブリと、
直立および完全リクライニング位置間を移動するように該ベースアセンブリに回動可能に取り付けられたリクライニング式背もたれフレームと、
前記制御部ハウジング上に摺動可能に支持され、前記背もたれフレーム上に回動可能に支持された座部と、
前記ベースアセンブリ上に作動可能に支持されて、前記座部に係合して前記座部を停止させると同時に、前記背もたれのリクライニングを完全リクライニング位置に達する前の選択位置に停止させる可変背もたれ停止機構とを備えており、該可変背もたれ停止機構は、座部係合部材と、該座部係合部材を調節可能に移動させるアクチュエータレバーとを含み、前記座部係合部材および前記レバーは噛み合い歯を備えて滑りのない係合を行うようにした椅子。
【請求項１０８】  前記座部係合部材は、前記座部に選択的に係合する形状のステップを有する可動カムを含む請求項１０７記載の椅子。
【請求項１０９】  前記可変背もたれ停止機構は、前記ステップの特定の１つが前記座部に係合する位置に配置される選択停止位置に前記カムを保持するスプリングデテントを含む請求項１０８記載の椅子。
【請求項１１０】  前記カムに連結されて、前記特定の１つのステップを選択するために前記カムを回転させるアクチュエータを備えた請求項１０９記載の椅子。
【請求項１１１】  制御部ハウジングを含むベースアセンブリと、
直立および完全リクライニング位置間を移動するように該ベースアセンブリに回動可能に取り付けられたリクライニング式背もたれフレームと、
前記制御部ハウジング上に摺動可能に支持され、前記背もたれフレーム上に回動可能に支持された座部と、
前記ベースアセンブリ上に作動可能に支持されて、前記座部に係合して前記座部を停止させると同時に、前記背もたれのリクライニングを完全リクライニング位置に達する前の選択位置に停止させる可変背もたれ停止機構とを備えており、該可変背もたれ停止機構は、前記座部に選択的に係合する形状のステップを有する可動カムを含むと共に、前記ステップの特定の１つが前記座部に係合する位置に配置される選択停止位置に前記カムを保持するスプリングデテントをさらに含み、また、
前記カムに連結されて、前記特定の１つのステップを選択するために前記カムを回転させるアクチュエータを備えており、該アクチュエータは、前記制御部ハウジングに回動可能に取り付けられたレバーを含み、該レバーおよび前記カムは噛み合い歯を備えている椅子。
【請求項１１２】  前記アクチュエータは、前記レバーに作動連結された回転式ハンドルを含む請求項１１１記載の椅子。
【請求項１１３】  前記アクチュエータは、前記ハンドルを前記レバーに連結するロッドを含む請求項１１２記載の椅子。
【請求項１１４】  前記ハンドルは、半径方向延出突出部を含むと共に、ピボット／スライドジョイントによって前記レバーに連結されていることによって、前記ハンドルが第１軸線回りに回転し、前記レバーが前記第１軸線に平行でなく傾斜した第２軸線回りに回転するようにして、前記ハンドルが焼き付きを伴わないで前記レバーの回転を駆動するようにした請求項１１２記載の椅子。
【請求項１１５】  制御部ハウジングを含むベースアセンブリと、
直立および完全リクライニング位置間を移動するように該ベースアセンブリに回動可能に取り付けられたリクライニング式背もたれフレームと、
前記制御部ハウジング上に摺動可能に支持され、前記背もたれフレーム上に回動可能に支持された座部と、
前記ベースアセンブリ上に作動可能に支持されて、前記座部に係合して前記座部を停止させると同時に、前記背もたれのリクライニングを完全リクライニング位置に達する前の選択位置に停止させる可変背もたれ停止機構とを備えており、該可変背もたれ停止機構は、前記座部に選択的に係合する形状のステップを有する可動カムを含み、該カムはさらに、デテントと噛み合って前記ステップを前記座部に係合する位置に選択的に保持する波形表面を含むと共に、前記カムを作動させるためにアクチュエータ上の対応歯と噛み合う歯を含む椅子。
【請求項１１６】  腰掛けている一般的な成人ユーザの大腿部を快適に支持するように構成された前部分と、腰掛けている成人ユーザの臀部を快適に支持すると共に、腰掛けている成人ユーザの体重の大部分を快適に支持する後部分と、前記前後部分を連結するたわみ中間部分とを含む弾性たわみ座部シェルを備えており、前記前部分は、該座部シェルのほぼ中間またはその前方で、腰掛けている成人ユーザの股関節の予想位置のほぼ前方に位置することによって、ほとんどの成人ユーザでは腰掛けている成人ユーザの体重が前記後部分で実質的に担持されており、さらに、
前記座部シェル上に支持された座部クッションと、
前記シェルの前記後部分を支持するなべ形座部キャリアとを備えており、該座部キャリアは、前記たわみ中間部分の下側に延在して前記たわみ中間部分から下方に離れてそれに連結されていないことを特徴とする前方延出部分を含み、さらに、
前記座部シェルの前記前部分を前記座部キャリアの前記前方延出部分上に作動可能に支持する調節式大腿部たわみ支持機構を備えて、腰掛けている成人ユーザに最適大腿部圧力および支持を与えるように前記前部分が前記後部分に対して調節可能であって、前記調節式大腿部たわみ支持機構は、プレテンションを掛けた横方向リーフスプリングを含む椅子用の座部構造。
【請求項１１７】  腰掛けている一般的な成人ユーザの大腿部を快適に支持するように構成された前部分と、腰掛けている成人ユーザの臀部を快適に支持すると共に、腰掛けている成人ユーザの体重の大部分を快適に支持する後部分と、前記前後部分を連結するたわみ中間部分とを含む弾性たわみ座部シェルを備えており、前記前部分は、該座部シェルのほぼ中間またはその前方で、腰掛けている成人ユーザの股関節の予想位置のほぼ前方に位置することによって、ほとんどの成人ユーザでは腰掛けている成人ユーザの体重が前記後部分で実質的に担持されており、さらに、
前記座部シェル上に支持された座部クッションと、
前記シェルの前記後部分を支持するなべ形座部キャリアとを備えており、該座部キャリアは、前記たわみ中間部分の下側に延在して前記たわみ中間部分から下方に離れてそれに連結されていないことを特徴とする前方延出部分を含み、さらに、
前記座部シェルの前記前部分を前記座部キャリアの前記前方延出部分上に作動可能に支持する調節式大腿部たわみ支持機構を備えて、腰掛けている成人ユーザに最適大腿部圧力および支持を与えるように前記前部分が前記後部分に対して調節可能であって、前記調節式大腿部たわみ支持機構は、曲がりロッド軸と、該曲がりロッド軸を回転させ、その後に前記曲がりロッド軸を選択向きに保持する解除可能にロック可能なガススプリングとを含む椅子用の座部構造。
【請求項１１８】  腰掛けている一般的な成人ユーザの大腿部を支持するように構成された前部分と、腰掛けている成人ユーザの大腿部を快適に支持すると共に、腰掛けている成人ユーザの体重の大部分を快適に支持する後部分と、たわみ中間部分とを含むたわみ座部シェルと、
全幅後部分と、該全幅後部分より狭く、前記後部分の中央から前方に延出した半幅前部分とを設けた底パネルを有し、前記全幅部分は前記シェルの前記後部分を支持するように構成され、前記半幅前部分は前記前部分から下方に間隔を置いて下側に延在しているＴ字形座部支持なべ形部材と、
前記前部分を前記半幅前部分上に調節可能に連結して支持する調節式大腿部支持機構とを備えた座部構造。
【請求項１１９】  前記調節式大腿部支持機構は、プレテンションを掛けた横方向リーフスプリングを含む請求項１１８記載の座部構造。
【請求項１２０】  前記調節式大腿部支持機構は、曲がりロッド軸と、該曲がりロッド軸を回転させ、その後に前記曲がりロッド軸を選択向きに保持する解除可能にロック可能なガススプリングとを含む請求項１１９記載の座部構造。
【請求項１２１】  リクライニング式背もたれと、該背もたれと同期移動するように作動可能に支持された可動式座部とを有する椅子において、
前後部分を含むと共に、該前部分の各側および該後部分の各側に配置された線形軸受けを含むＴ字形本体を有する座部キャリアを備えており、
該座部キャリアは、前記可動式座部を前記リクライニング式背もたれに対して移動可能に支持する支持体に前記座部キャリアを回動可能に取り付けるためのピボットを含み、さらに、
座部クッションおよび腰掛けているユーザを支持するように構成されたなべ形座部フレームとを備えており、前記座部フレームは底パネルを含み、該底パネルに設けられた平坦表面が前記線形軸受けの対応のものに摺動可能に係合し、これによって前記座部フレームが前記座部キャリア上で深さ調節されるようにした改良。
【請求項１２２】  前記座部キャリアおよび前記座部フレームの一方は前後方向に延在した一連のノッチを備え、前記座部キャリアおよび前記座部フレームの他方は該ノッチに選択的に係合するラッチを備えた請求項１２１記載の椅子。
【請求項１２３】  前記座部キャリアは、上向きに形成された停止タブを含み、上部取り付け停止リミッタが前記座部フレームに取り付けられており、該停止リミッタは、前記座部フレームを下向きに貫通した突出部を有し、該突出部は、前記停止タブに係合することによって前記座部キャリア上での前記座部フレームの最大深さ位置および最小深さ位置を定めることができる形状を有する請求項１２２記載の椅子。
【請求項１２４】  前記座部フレームが前記座部キャリアから垂直方向に持ち上げられるのを防止するために、前記座部フレームは前記軸受けの少なくとも２つを捕らえるフランジを含む請求項１２１記載の椅子。
【請求項１２５】  少なくとも１つの上フランジおよび各上フランジの上に支持された潤滑性軸受けを有する制御部ハウジングを含むベースアセンブリと、
直立およびリクライニング位置間を移動するように背もたれピボットで前記ベースアセンブリに回動可能に取り付けられた背もたれフレームと、
前記ベースアセンブリおよび前記背もたれフレーム上に作動可能に支持されて、ほぼ水平方向に摺動するように各上フランジの前記潤滑性軸受けに摺動可能に係合したスライド部材を含むと共に、前座部ピボットで該スライド部材に回動可能に取り付けられ、後座部ピボットで前記背もたれフレームに回動可能に取り付けられた座部キャリアを含む座部支持構造体とを備えた椅子。
【請求項１２６】  前記少なくとも１つの上フランジは、前記制御部ハウジング上の２つの平行な側部フランジを含む請求項１２５記載の椅子。
【請求項１２７】  前記潤滑性軸受けの各々は、前記側部フランジの上縁部に取り付けられた高分子部材を含む請求項１２６記載の椅子。
【請求項１２８】  前記ベースアセンブリは、前記ハウジングを含むベースフレームを含むと共に、さらに、前記背もたれピボットで前記背もたれフレームを支持する側部アームを含む請求項１２５記載の椅子。
【請求項１２９】  前記ベースアセンブリは、前記ハウジングを含むベースフレームを含むと共に、さらに、前記背もたれピボットで前記背もたれフレームを支持する側部アームを含む請求項８８記載の椅子。
【請求項１３０】  前記ベースアセンブリは、前記ハウジングを含むベースフレームを含むと共に、さらに、前記背もたれピボットで前記背もたれフレームを支持する側部アームを含む請求項９５記載の椅子。
【請求項１３１】  前記ベースアセンブリは、前記ハウジングを含むベースフレームを含むと共に、さらに、前記背もたれピボットで前記背もたれフレームを支持する側部アームを含む請求項９８記載の椅子。
【請求項１３２】  椅子を組み立てる方法であって、
側方に延出して向き合った突出部を有する椅子部材を準備する段階と、
リセスを設けた特殊形状端部分を有する背もたれフレームを準備する段階と、
前記背もたれフレームの前記特殊形状端部分をたわませ、同時に前記特殊形状端部分の前記リセスを前記突出部にはめる段階と、
前記背もたれフレームを解放して、前記背もたれフレームが弾性的に元の形状に戻り、それによって前記背もたれフレームを所定位置に保持して前記背もたれフレームを前記椅子部材に回動可能に連結できるようにする段階とを含む方法。
【請求項１３３】  前記椅子部材は座部を備えており、さらに、側部アームを備えたベースアセンブリを準備する段階と、前記特殊形状端部分をたわませて前記特殊形状端部分を前記座部の側部と前記ベースアセンブリの前記側部アームとの間に配置する段階とを含む請求項１３２記載の方法。
【請求項１３４】  前記側部アームは向き合った第２突出部を有し、前記特殊形状端部分は第２リセスを有しており、さらに、該第２リセスを前記第２突出部にはめる段階を含む請求項１３３記載の方法。
【請求項１３５】  椅子のそれぞれの側部の前記第１突出部および第２突出部は、逆方向を向いている請求項１３４記載の方法。
【請求項１３６】  前記ベースアセンブリは、ハウジングを有するベースフレームを含み、前記対向側部アームは該ハウジングから側方上向きに延出しており、さらに、前記特殊形状端部分を前記ハウジングのほぼ外側上方であるが前記側部アームの上端部の内側に配置する段階を含む請求項１３３記載の方法。
【請求項１３７】  腰掛けているユーザが仕事をしている間、床面上に椅子を支持するベースアセンブリと、
直立およびリクライニング作業位置を含む複数の作業位置間を移動するように背もたれピボットで前記ベースアセンブリに回動可能に取り付けられた背もたれフレームと、
前記背もたれピボットから後方かつ下方に間隔を置いた座部ピボットで前記背もたれフレームに回動可能に取り付けられた座部とを備えており、該座部は水平方向に移動するように前記ベースアセンブリの前部分で摺動可能に支持されており、前記背もたれピボットおよび前記座部ピボットは、前記背もたれフレームがリクライニングするのと同期した回動移動で、前記座部をほぼ前方に移動させ、前記座部の後部分を下方に移動させるように相互連結されて構成されており、これによって腰掛けているユーザは直立およびリクライニング作業位置で快適に支持され、また、腰掛けているユーザは、直立およびリクライニング作業位置間を移動中に、前記ベースアセンブリを固定作業面に対して絶えず前後移動させて調節する必要なく、作業を継続することができ、
前記ベースアセンブリは、制御部ハウジングを含み、該制御部ハウジング内に配置されたエネルギ機構が前記背もたれフレームおよび前記座部の一方に作動可能に係合して前記背もたれフレームを直立位置に押しつけることができ、
前記座部は、前記制御部ハウジングに摺動可能に係合した座部スライド部材を含み、さらに、第１ピボットで前記座部スライドに回動可能に係合すると共に第２ピボットで前記背もたれフレームに回動可能に係合した座部支持キャリアを含む椅子。
【請求項１３８】  前記ベースアセンブリは、前記背もたれフレームおよび前記座部の一部分を支持するように前記座部にほぼ隣接して上方に延出した側部アームを含む請求項１３７記載の椅子。
【請求項１３９】  前記背もたれフレームは、前記側部アームに回動可能に取り付けられている請求項１３８記載の椅子。
【請求項１４０】  前記座部は、前記側部アームにほぼ隣接した位置で前記背もたれフレームに回動可能に取り付けられている請求項１３９記載の椅子。
【請求項１４１】  腰掛けているユーザが仕事をしている間、床面上に椅子を支持するベースアセンブリと、
直立およびリクライニング作業位置を含む複数の作業位置間を移動するように背もたれピボットで前記ベースアセンブリに回動可能に取り付けられた背もたれフレームと、
前記背もたれピボットから後方かつ下方に間隔を置いた座部ピボットで前記背もたれフレームに回動可能に取り付けられた座部とを備えており、該座部は水平方向に移動するように前記ベースアセンブリの前部分で摺動可能に支持されており、前記背もたれピボットおよび前記座部ピボットは、前記背もたれフレームがリクライニングするのと同期した回動移動で、前記座部をほぼ前方に移動させ、前記座部の後部分を下方に移動させるように相互連結されて構成されており、これによって腰掛けているユーザは直立およびリクライニング作業位置で快適に支持され、また、腰掛けているユーザは、直立およびリクライニング作業位置間を移動中に、前記ベースアセンブリを固定作業面に対して絶えず前後移動させて調節する必要なく、作業を継続することができ、
前記ベースアセンブリは、制御部ハウジングを含み、該制御部ハウジング内に配置されたエネルギ機構が前記背もたれフレームおよび前記座部の一方に作動可能に係合して前記背もたれフレームを直立位置に押しつけることができ、
前記ベースアセンブリは、前記背もたれフレームおよび前記座部の一部分を支持するように前記座部にほぼ隣接して上方に延出した側部アームを含み、
前記背もたれフレームは該側部アームに回動可能に取り付けられており、
前記座部は前記側部アームにほぼ隣接した位置で前記背もたれフレームに回動可能に取り付けられており、
前記エネルギ機構は前記制御部ハウジング内に横方向に配置されたスプリングを含むと共に、該スプリングを前記座部および前記背もたれフレームの一方に作動連結するレバーを含む椅子。
【請求項１４２】  前記スプリングから前記座部に伝達される付勢力を変化させるために前記レバーを調節する調節機構を備えており、該調節機構はレバーを含み、前記背もたれフレームを直立位置の方に調節可能に押しつけるための調節可能なモーメントの腕を前記レバー上に定める請求項１４１記載の椅子。
【請求項１４３】  前記エネルギ機構は前記制御部ハウジング内に横方向に配置されたスプリングを含み、さらに、該スプリングを前記座部および前記背もたれフレームの一方に作動連結するレバーを含む請求項１３７記載の椅子。
【請求項１４４】  腰掛けているユーザが仕事をしている間、床面上に椅子を支持するベースアセンブリと、
直立およびリクライニング作業位置を含む複数の作業位置間を移動するように背もたれピボットで前記ベースアセンブリに回動可能に取り付けられた背もたれフレームと、
前記背もたれピボットから後方かつ下方に間隔を置いた座部ピボットで前記背もたれフレームに回動可能に取り付けられた座部とを備えており、該座部は水平方向に移動するように前記ベースアセンブリの前部分で摺動可能に支持されており、前記背もたれピボットおよび前記座部ピボットは、前記背もたれフレームがリクライニングするのと同期した回動移動で、前記座部をほぼ前方に移動させ、前記座部の後部分を下方に移動させるように相互連結されて構成されており、これによって腰掛けているユーザは直立およびリクライニング作業位置で快適に支持され、また、腰掛けているユーザは、直立およびリクライニング作業位置間を移動中に、前記ベースアセンブリを固定作業面に対して絶えず前後移動させて調節する必要なく、作業を継続することができ、
前記ベースアセンブリは、制御部ハウジングを含み、該制御部ハウジング内に配置されたエネルギ機構が前記背もたれフレームおよび前記座部の一方に作動可能に係合して前記背もたれフレームを直立位置に押しつけることができ、
前記エネルギ機構は、前記制御部ハウジング内に横方向に配置されたスプリングを含み、さらに、
該スプリングを前記座部および前記背もたれフレームの一方に作動連結するレバーを備えており、該レバーは、垂直軸線回りに回動可能であり、一端部で前記スプリングに係合し、第２端部で前記座部に作動連結されて前記座部を後方に押しつけ、それによって前記背もたれフレームを直立位置に押しつけるようにした椅子。
【請求項１４５】  前記制御部ハウジングは、対向側部フランジを含み、前記座部は、該側部フランジに摺動可能に係合した軸受けを含む請求項１３７記載の椅子。
【請求項１４６】  前記座部は、腰掛けている成人ユーザの臀部を支持することができる後部分を有するたわみ座部シェルを含み、さらに、腰掛けている成人ユーザの大腿部を支持することができると共に、前記後部分にたわみ可能に連結された前部分を含み、前記後部分は前記座部支持キャリアに載ってそれによって支持されている請求項１３７記載の椅子。
【請求項１４７】  前記座部は、前記ベースアセンブリに摺動可能に連結されて前記背もたれフレームに回動可能に連結された座部支持キャリアを含み、さらに、手動での深さちょうせつを可能にする前記座部支持キャリア上に摺動可能に支持された座部シェルを含む請求項１３７記載の椅子。
【請求項１４８】  腰掛けているユーザが仕事をしている間、床面上に椅子を支持するベースアセンブリと、
直立およびリクライニング作業位置を含む複数の作業位置間を移動するように背もたれピボットで前記ベースアセンブリに回動可能に取り付けられた背もたれフレームと、
前記背もたれピボットから後方かつ下方に間隔を置いた座部ピボットで前記背もたれフレームに回動可能に取り付けられた座部とを備えており、該座部は水平方向に移動するように前記ベースアセンブリの前部分で摺動可能に支持されており、前記背もたれピボットおよび前記座部ピボットは、前記背もたれフレームがリクライニングするのと同期した回動移動で、前記座部をほぼ前方に移動させ、前記座部の後部分を下方に移動させるように相互連結されて構成されており、これによって腰掛けているユーザは直立およびリクライニング作業位置で快適に支持され、また、腰掛けているユーザは、直立およびリクライニング作業位置間を移動中に、前記ベースアセンブリを固定作業面に対して絶えず前後移動させて調節する必要なく、作業を継続することができ、
前記ベースアセンブリは、制御部ハウジングを含み、該制御部ハウジング内に配置されたエネルギ機構が前記背もたれフレームおよび前記座部の一方に作動可能に係合して前記背もたれフレームを直立位置に押しつけることができ、さらに、
前記制御部ハウジングに取り付けられて、前記座部に選択的に係合して前記座部の前方移動を制限し、したがって前記背もたれフレームのリクライニングを選択的に制限するように構成された背もたれ停止機構を備えた椅子。
【請求項１４９】  少なくとも２つの垂直方向に間隔を置いた位置で前記背もたれフレームに取り付けられた服従背もたれアセンブリを備えており、該服従背もたれアセンブリは、前記少なくとも２つの垂直方向に間隔を置いた位置の間でたわんで最適腰部支持を行うことができるように構成されている請求項１３７記載の椅子。
【請求項１５０】  前記服従背もたれアセンブリは、弾性的にたわむ一体形シェルを含む請求項１４９記載の椅子。
【請求項１５１】  前記服従背もたれアセンブリは、それぞれが人の背中の一部を支持する表面を有する複数部材の組み合わせ体を含む請求項１４９記載の椅子。
【請求項１５２】  制御ハウジングを含む可動式ベースアセンブリと、
直立およびリクライニング位置間を移動するように前記ベースアセンブリに回動可能に取り付けられた背もたれと、
前記ベースアセンブリ上に作動可能に支持され、実質的に後方の作業位置および前方作業位置間を移動するように前記背もたれに連結された座部とを備えており、
該座部は、前記ベースアセンブリに摺動可能に連結された前部分を含み、該前部分は前記背もたれのリクライニング時に前方へ水平方向に移動することによって、リクライニング中に腰掛けているユーザの脚が不都合に床面から持ち上げられることがないようにしており、
前記座部はさらに、前記前部分にたわみ可能に連結された後部分を含み、該後部分は前記背もたれに作動連結されて、リクライニング時に前下方に移動することによって、リクライニング中に前記座部および前記背もたれが同期角移動して腰掛けているユーザの姿勢を快適に支持すると共に、前記座部の最大前方移動および前記背もたれの最大角移動が、リクライニング中に腰掛けているユーザの手を比較的一定に保持するストロークに制限されるようにすることによって、腰掛けているユーザがすべての腰掛け位置で容易に快適に作業を継続することができ、さらに、
前記制御ハウジング内に横方向に配置されたスプリング機構を備え、さらに、該スプリング機構に回動可能に係合すると共に前記座部に作動連結されて、前記座部を後方作業位置の方に押しつけると共に、同時に前記背もたれを直立位置の方に押しつけるレバーを備えており、
前記制御部ハウジングは側部アームを含み、前記座部は、該側部アームに摺動可能に係合した軸受けを含む椅子。
【請求項１５３】  前記側部アームは、前記座部の後部の、軸線が腰掛けているユーザの股関節にほぼ整合するよう適応される位置で前記背もたれを回動可能に支持している請求項１５２記載の椅子。
【請求項１５４】  前記スプリング機構は、腰掛けているユーザの快適さを増すために前記座部の前記前部分をたわみ移動可能に弾性的に支持するスプリングを含む請求項１５２記載の椅子。
【請求項１５５】  前記座部はさらに、腰掛けているユーザに調節可能な快適さを与えるために、前記前部分を調節移動できるように作動可能かつ調節可能に支持する解除可能にロック可能なガススプリングを含む請求項１５４記載の椅子。
【請求項１５６】  前記後部分は、腰掛けている成人ユーザの臀部および腰掛けている成人ユーザの体重の大部分を支持するように構成かつ適応され、前記前部分は、前記背もたれのリクライニング中に腰掛けている成人ユーザの脚を持ち上げることなく腰掛けている成人ユーザの大腿部をたわみ可能に快適に支持するように構成かつ適応されている請求項１５３記載の椅子。
【請求項１５７】  前記座部は、前記ベースアセンブリ上に摺動可能に支持されて前記背もたれに回動可能に係合した座部支持キャリアを含み、さらに、該座部支持キャリア上で手動式に深さ調節可能な座部シェルを含む請求項１５３記載の椅子。
【請求項１５８】  側部アームを含むベースアセンブリと、
直立およびリクライニング作業位置を含む複数の作業位置間を移動するように背もたれピボットで前記ベースアセンブリに回動可能に取り付けられた背もたれフレームと、
座部ピボットで前記背もたれフレームに回動可能に取り付けられて、前記ベースアセンブリの前部分で摺動可能に支持された座部とを含み、前記背もたれフレームは、前記座部の対向側部において前記座部の側部と前記側部アームの対応のものとの間に配置された左右の特殊形状端部分を含み、該特殊形状端部分は、前記座部ピボットで第１ピボット軸受けを、前記背もたれピボットで第２ピボット軸受けを支持し、これによって、腰掛けているユーザは直立およびリクライニング作業位置間を移動中に作業を継続することができる椅子。
【請求項１５９】  制御部ハウジングおよび上方延出側部アームを含む可動式スパイダ脚付きベースアセンブリと、
該側部アームの対応のものに近接して配置されて、それぞれが第１スタッドおよび該第１スタッドに係合した回転可能な第１軸受けを有する背もたれピボットで前記側部アームに回動可能に取り付けられた特殊形状端部分を有する逆Ｕ字形背もたれフレームと、
前記制御部ハウジング上に摺動可能に支持されており、前記背もたれピボットから間隔を置いて配置されてそれぞれが第２スタッドおよび該第２スタッドに係合した回転可能な第２軸受けを有する座部ピボットで前記特殊形状端部に回動可能に取り付けられた座部キャリアを含む座部と、
横方向スプリングと、該スプリングおよび前記座部に作動可能に係合して前記座部を後方位置に押しつけ、それによって前記背もたれフレームを直立位置の方に押しつけるレバーと、該レバーに調節可能に係合してリクライニング中に移動する支点を定め、手動調節可能に変化して支点の位置を変化させることによって前記座部に対する前記スプリングの力を調節可能に制御することができる調節ピボット部材とを含む調節式エネルギ機構とを備えた椅子。
【請求項１６０】  前記座部はさらに、腰掛けているユーザの快適さを増すために、前記前部分の左右側部を独立的にたわみ移動可能に弾性的に支持するスプリングを含む請求項１４６記載の椅子。
【請求項１６１】  前記座部はさらに、腰掛けているユーザに調節可能な快適さを与えるために、前記前部分を調節移動できるように作動可能かつ調節可能に支持する解除可能にロック可能なガススプリングを含む請求項１４６記載の椅子。
【請求項１６２】  制御部ハウジングを含むベースアセンブリと、
該制御部ハウジング内に配置されたエネルギ源と、
前方および後方位置間をほぼ水平方向に移動するように前記ベースアセンブリ上に作動可能に支持されて、前記エネルギ源に作動可能に相互連結された座部と、
背もたれシェルおよび該背もたれシェルを支持する背もたれフレームを含む背もたれ支持部とを備えており、該背もたれフレームは、該背もたれ支持部が直立およびリクライニング位置間を移動できるように前記背もたれフレームを前記ベースアセンブリに回動可能に結合する第１ピボットと、前記背もたれフレームを前記座部に回動可能に結合する第２ピボットとを含み、
前記エネルギ源は、前記座部を後方に押しつけることによって前記背もたれ支持部を直立位置に押しつけ、前記座部の該後方移動が前記背もたれ支持部を前記第１ピボットでほぼ直立位置に回転させ、さらに、
前記ベースアセンブリ上に支持されて、前記座部に作動可能に係合する可変背もたれ停止機構を備えており、該可変背もたれ停止機構は、前記座部を停止させると同時に、前記背もたれのリクライニングを直立およびリクライニング位置間の複数の選択可能位置に停止させるように構成されている椅子。
【請求項１６３】  前記第１ピボット軸線は、前記座部の後部の、腰掛けているユーザの股関節にほぼ整合することができる位置に配置されている請求項１６２記載の椅子。
【請求項１６４】  前記座部は、前記制御部ハウジング上を前後方向に摺動することができる座部前スライドと、前記制御部ハウジングおよび該前スライドに回動可能に相互連結された座部キャリアと、該座部キャリアに摺動可能に係合した座部フレームと、腰掛けている成人ユーザの臀部および大腿部を支持することができる座部シェルとを備えた請求項１６２記載の椅子。
【請求項１６５】  前記座部シェルは、腰掛けている成人ユーザの臀部を支持すると共に、腰掛けている成人ユーザの体重の大部分を支持するように構成された後部分を含み、さらに、腰掛けている一般的な成人ユーザの大腿部を支持することができる前部分を含み、さらにまた、前記後部分および前記前部分を連結するたわみゾーンを含み、さらに、前記前部分に連結されて、前記座部シェルの前記前部分を前記後部分に対して角調節するように構成された調節装置を含み、該調節装置は前記座部シェルの前記前部分の下側に取り付けられている請求項１６４記載の椅子。
【請求項１６６】  制御部ハウジングを含むベースアセンブリと、
該制御部ハウジング内に配置されたエネルギ源と、
前方および後方位置間をほぼ水平方向に移動するように前記ベースアセンブリ上に作動可能に支持されて、前記エネルギ源に作動可能に相互連結されており、腰掛けている成人ユーザの臀部を支持することができる後部分および腰掛けている一般的な成人ユーザの大腿部を支持することができる前部分を有する座部シェルを含む座部と、
背もたれシェルおよび該背もたれシェルを支持する背もたれフレームを含む背もたれ支持部とを備えており、該背もたれフレームは、前記背もたれフレームを前記ベースアセンブリに回動可能に結合する第１ピボットと、前記背もたれフレームを前記座部に回動可能に結合する第２ピボットとを含む椅子。
【請求項１６７】
ベースと、座部と、該ベースに回転可能に取り付けられた背もたれフレームと、該背もたれフレームおよび該ベースに作動連結された、該背もたれフレームを直立位置の方に押しつける第１エネルギ機構とを有する座席ユニットにおいて、
たわみ可能に曲がって腰掛けているユーザの背中になじんで支持することができる様々な曲線形をとる服従背もたれと、該服従背もたれを第１連結部で前記背もたれフレームに回動可能に連結する前方延出フランジを有するベルトブラケットとを備えており、前記服従背もたれは前記第１連結部から垂直方向に間隔を置いた第２位置で前記服従背もたれを前記背もたれフレームに回動可能に連結する第２連結部を有することによって、前記服従背もたれが前記第１および第２連結部によって制限された範囲内で移動するように拘束されており、さらに、
ほぼ前記第１および第２連結部の一方に位置して、前記ブラケットを押しつけるように、また前記服従背もたれの腰部分を座席ユニットに対して前方に押しつけるように構成された力発生機構を含む第２エネルギ機構を含む改良。
【請求項１６８】
前記服従背もたれは、逆回転移動するように互いに作動連結された上下部分を含み、該上部分は前記少なくとも１つの上部連結部で前記背もたれフレームに回動可能に取り付けられ、前記下部分は前記少なくとも１つの下部連結部で前記背もたれフレームに回動可能に取り付けられた前方延出フランジを含む請求項１６７記載の座席ユニット。
【請求項１６９】
前記服従背もたれは、腰掛けているユーザのほぼ腰部領域に位置するようになっているたわみゾーンによって連結された上下の剛直部分を有する背もたれシェルを含む請求項１６７記載の座席ユニット。
【請求項１７０】
前記背もたれシェルに作動可能に取り付けられたねじり腰部支持機構を備えており、該ねじり腰部支持機構は、前記シェルを前向き突出凸状形に押しつけて最適な腰部支持が得られるようにする請求項１６７記載の座席ユニット。
【請求項１７１】
前記第１および第２連結部の一方に取り付けられて、前記服従背もたれを前向き突出凸状形に押しつけるねじり腰部支持機構を備えた請求項１６７記載の座席ユニット。
【請求項１７２】
前記服従背もたれは、背もたれシェルを含むと共に、前記服従背もたれの前記背もたれシェルの前表面に作動可能に取り付けられた垂直方向調節式腰部支持部を含み、該垂直方向調節式腰部支持部は、腰掛けているユーザの腰部領域の前記服従背もたれの前表面での支持力を変化させるように構成されている請求項１６７記載の座席ユニット。
【請求項１７３】
単一式の背もたれフレームと、
複数の異なる凸状形にたわむことができるたわみ前方突出腰部支持領域を有する服従背もたれと、
該服従背もたれを前記背もたれフレームに回動可能に連結する少なくとも２つの連結部と、
前記服従背もたれおよび前記背もたれフレームの少なくとも一方に作動可能に取り付けられた調節式力発生機構とを備えており、該調節式力発生機構は、腰掛けているユーザの背中に最適な腰部支持を与えるように前記腰部支持領域を押しつける付勢力を与えるように構成されているが、前記服従背もたれの形状を強制的に変化させることなく前記付勢力を与えることを特徴とする座席ユニット用の背もたれ構造。
【請求項１７４】
前記調節式力発生機構はねじり機構を備える請求項１７３記載の座席ユニット用の背もたれ構造。
【請求項１７５】
前記服従背もたれは、比較的剛直な胸部支持領域と、比較的剛直な骨盤支持領域とを含み、これらは前記腰部支持領域によって相互連結されている請求項１７３記載の座席ユニット用の背もたれ構造。
【請求項１７６】
前記調節式力発生機構は付勢スプリングを含み、該付勢スプリングは、前記下部連結部回りに回動運動するように前記下部領域を押しつける請求項１７３記載の座席ユニット用の背もたれ構造。
【請求項１７７】
ベースアセンブリと、
座部と、
直立およびリクライニング位置間を移動するように前記ベースアセンブリに回動可能に取り付けられた背もたれフレームと、
固定の上部連結部で該背もたれフレームに回動可能に取り付けられ、下部連結部で前記背もたれフレーム、前記座部および前記ベースアセンブリの１つに回動可能に取り付けられた前方延出フランジを含む服従背もたれとを備えており、前記下部連結部は、前記服従背もたれの下側前中央表面から前方に間隔を置いて配置され、それによって腰掛けているユーザの背骨および背中の下部がたわむと、前記服従背もたれが腰掛けているユーザの背中および背骨のたわみになじんでたわむようになっている座席ユニット構造。
【請求項１７８】
前記下部連結部は、前記服従背もたれの前記フランジを前記背もたれフレームに連結する請求項１７７記載の座席ユニット構造。
【請求項１７９】
前記服従背もたれは、たわみ領域によって相互連結された比較的剛直な上下部分を含む請求項１７８記載の座席ユニット構造。
【請求項１８０】
前記服従背もたれは、逆回転移動するように互いに作動連結された上下部分を含み、該上部分は前記少なくとも１つの上部連結部で前記背もたれフレームに回動可能に取り付けられ、前記下部分は、前記少なくとも１つの下部連結部で前記背もたれフレームに回動可能に取り付けられた前方延出フランジを含む請求項１７７記載の座席ユニット構造。
【請求項１８１】
前記服従背もたれは、腰掛けているユーザの腰部領域にほぼ位置するようになっているたわみゾーンによって連結された上下の剛直部分を有する背もたれシェルを含む請求項１７７記載の座席ユニット構造。
【請求項１８２】
前記下部連結部の１つに取り付けられて、前記服従背もたれを前向き突出凸状形に押しつけるねじり腰部支持機構を備えた請求項１７７記載の座席ユニット構造。
【請求項１８３】
前記服従背もたれは、前記服従背もたれの底縁部に沿って取り付けられたベルトブラケットを含み、該ベルトブラケットは、前記下部連結部の一部を形成するフランジを含む請求項１７７記載の座席ユニット構造。
【請求項１８４】
フレーム部材と、
様々な形状に曲がって、腰掛けているユーザの腰部および胴部に係合して人間工学的に支持することができる背もたれと、
該背もたれに取り付けられ、該背もたれから延出したフランジを有するベルトブラケットとを備えており、前記フランジは、前記背もたれを第１連結部で前記フレーム部材に回動可能に連結し、前記背もたれは、前記第１連結部から垂直方向に間隔を置いた第２連結部で前記フレーム部材に回動可能に取り付けられ、前記第１および第２の連結部によって、および前記フランジによって拘束されることにより、前記背もたれの腰部分が腰掛けているユーザに係合して人間工学的な腰部支持を与えるようになっている座席ユニット。
【請求項１８５】
前記背もたれは可撓性材料でできている請求項１８４記載の座席ユニット。
【請求項１８６】
前記背もたれは曲線シート形をとり、前記フランジは前記曲線シート形から前方に延出している請求項１８４記載の座席ユニット。
【請求項１８７】
前記腰部分を、腰掛けているユーザに対して前方に押しつける力を発生するエネルギ機構を含む請求項１８４記載の座席ユニット。
【請求項１８８】
前記背もたれは、腰掛けているユーザのほぼ腰部領域に位置するようになっているたわみゾーンによって連結された上下の剛直部分を有する背もたれシェルを含む請求項１８４記載の座席ユニット。
【請求項１８９】
背もたれフレームと、
上部連結部で該背もたれフレームに作動可能に取り付けられ、また下部連結部で該背もたれフレームに動作可能に取り付けられた背もたれとを備えており、該背もたれは、たわみ腰部分によって連結された剛直な胸部部分および剛直な骨盤部分を含み、前記下部連結部は前記骨盤部分の前方にあり、前記上部および下部連結部および胸部分、骨盤部分、および腰部分は、腰掛けているユーザが背中下部を後方にたわませた時、前記背もたれの骨盤部分が後下方に回動移動し、前記背もたれの腰部分がほぼ後方にたわみ移動して骨盤部分に対してさらに平坦な形状になり、前記背もたれの胸部分が前記上部連結部回りに回動するように構成されていることによって、前記背もたれが前記背もたれフレームと共に、快適ではあるが腰掛けているユーザの胴部および背骨を大きくたわませて移動させる姿勢を支持するように、腰掛けているユーザの背中の姿勢の支持を行うようになっている座席ユニット。
【請求項１９０】
前記背もたれフレームは、下部ピボットを画定し、直立およびリクライニング位置間を移動可能である請求項１８９記載の座席ユニット。
【請求項１９１】
前記腰部分は、可撓性材料シートを備えている請求項１８９記載の座席ユニット。
【請求項１９２】
前記背もたれに作動連結されて、前記腰部分を前方に押しつける力発生機構を含む請求項１８９記載の座席ユニット。
【請求項１９３】
前記服従背もたれを前記腰部分が前方に突出する形状に押しつける付勢装置を含み、該付勢装置は、付勢力を与えるが、前記服従背もたれの形状を強制的に変化させないことを特徴とする請求項１８９記載の座席ユニット。
【請求項１９４】
少なくとも１つの上部連結部および該少なくとも１つの上部連結部から垂直方向に間隔を置いた少なくとも１つの下部連結部を有するたわみシェルを備えており、前記少なくとも１つの下部連結部は、前記シェルの下部前方にあることにより、腰掛けている成人ユーザの胸部が前記シェルに当たっている時に腰掛けているユーザの大腿骨頭にほぼ整合するようになっている軸を画定し、前記シェルは、剛直な胸部領域、剛直な骨盤領域、および腰部領域を有し、前記腰部領域は水平方向前方への可撓性が著しく大きいことを特徴とすることにより、前記シェルが容易にたわんで様々な形状をとって最適な腰部支持が得られるが、前記腰部領域は前記胸部および骨盤領域の方向にほぼ圧縮不可能であることにより、前記腰部領域がたわんだ時に、前記腰部領域が前記胸部および骨盤領域を前記上部および下部連結部回りに所定の経路に沿って回動させて、腰掛けているユーザの背中のたわみにより前記腰部領域のたわみが生じると、前記服従背もたれが前記上部および下部連結部間で制御状態にたわむようにしている服従背もたれ。
【請求項１９５】
該服従背もたれを前記腰部領域が前方に突出する形状に押しつける付勢装置を含み、該付勢装置は、付勢力を与えるが、該服従背もたれの形状を強制的に変化させないことを特徴とする請求項１９４記載の服従背もたれ。
【請求項１９６】
ベースと、
該ベースに移動可能に取り付けられた座部支持構造体と、
直立およびリクライニング位置間を移動するように該座部支持構造体に回動可能に取り付けられた背もたれ支持部と、
前記座部支持構造体上に配置された座部とを備えており、
前記座部支持構造体は、前記背もたれ支持体のリクライニングに応じて該背もたれ支持体と同期してほぼ前方に前記座部を移動させるようになっており、さらに、
少なくとも１つの上部連結部で前記背もたれ支持部に、また前記少なくとも１つの上部連結部から垂直方向に間隔を置いた少なくとも１つの下部連結部で前記背もたれ支持部および前記座部の一方に連結された服従背もたれとを備えており、前記少なくとも１つの下部連結部は前記服従背もたれの下部を所定の移動範囲に拘束し、前記服従背もたれは、腰掛けているユーザの背中がたわむと前記服従背もたれが前記上部および下部連結部間で制御状態にたわむように可撓性である座席ユニット。
【請求項１９７】
前記座部の前記ほぼ前方の移動は前記背もたれ支持部のリクライニング時に行われる請求項１９６記載の座席ユニット。
【請求項１９８】
エネルギ機構が前記背もたれ支持部を直立位置の方に押しつける請求項１９６記載の座席ユニット。
【請求項１９９】
前記背もたれ支持部および前記座部支持構造体は、前記ベースに作動連結されることによって、腰掛けているユーザによる前記背もたれのリクライニング時に前記背もたれおよび座部を同期移動させるようにした請求項１９６記載の座席ユニット。